(57)【特許請求の範囲】
【請求項１】
（ａ）テストされるべきアッセイを受け取るセンサカートリッジと、
（ｂ）前記センサカートリッジのセンサ表面に磁界を生成する電磁ユニットであって、前記センサ表面近傍に配される磁極によって前記磁界を生成する、電磁ユニットと、
（ｃ）前記センサ表面近傍の磁性粒子の存在を検出する検出手段であって、内部全反射の角度で前記センサ表面に光を向ける光源と、前記センサ表面から反射される光を検出する検出器と、を有する検出手段と、
を有する磁気バイオセンサ装置であって、前記電磁ユニットは、少なくとも第１の磁界強度をもつ磁界及び第２の磁界強度をもつ磁界を時間的に交互に生成し、前記磁性粒子は、少なくとも前記センサ表面における前記磁極近傍の位置と前記磁極から離れた位置とで異なる拡散スピードを呈し、前記第１の磁界強度を印加する時間量及び前記第２の磁界強度を印加する時間量の和に対する、前記第１の磁界強度を印加する時間量の比率が、前記センサ表面上の各位置において磁性粒子の十分な拡散が得られるように、前記位置により異なる前記拡散スピードを考慮して、測定の最中に変えられる、磁気バイオセンサ装置。
【請求項２】
前記第２の磁界強度がゼロである、請求項１に記載の装置。
【請求項３】
前記比率が、測定中、低下される、請求項１に記載の装置。
【請求項４】
前記比率が、測定中、連続的に変えられる、請求項１に記載の装置。
【請求項５】
前記比率が、測定中、段階的に変えられる、請求項１に記載の装置。
【請求項６】
前記比率が、測定中、約８５％から約１５％まで変化する、請求項１に記載の装置。
【請求項７】
前記電磁ユニットが、前記センサ表面に対し本質的に垂直な磁界強度を生成する第１の電磁ユニットと、前記センサ表面に本質的に平行な磁界強度を生成する第２の電磁ユニットと、を有し、前記垂直な磁界強度及び前記平行な磁界強度が時間的に交互に生成され、前記垂直な磁界強度の生成と前記平行な磁界強度の生成との間に、磁界が生成されない時間期間がある、請求項１に記載の装置。
【請求項８】
磁気バイオセンサ装置のセンサ表面に磁界を印加する方法であって、前記磁気バイオセンサ装置は、
（ａ）テストされるべきアッセイを受け取るセンサカートリッジと、
（ｂ）前記センサカートリッジのセンサ表面に磁界を生成する電磁ユニットであって、前記センサ表面近傍に配される磁極によって前記磁界を生成する、電磁ユニットと、
（ｃ）前記センサ表面近傍の磁性粒子の存在を検出する検出手段であって、内部全反射の角度で前記センサ表面に光を向ける光源と、前記センサ表面から反射される光を検出する検出器と、を有する検出手段と、
を有し、前記方法は、前記電磁ユニットが、少なくとも第１の磁界強度を有する磁界及び第２の磁界強度を有する磁界を時間的に交互に生成することを含み、前記磁性粒子は、少なくとも前記センサ表面における前記磁極近傍の位置と前記磁極から離れた位置とで異なる拡散スピードを呈し、前記第１の磁界強度を印加する時間量及び前記第２の磁界強度を印加する時間量の和に対する、前記第１の磁界強度を印加する時間量の比率が、前記センサ表面上の各位置において磁性粒子の十分な拡散が得られるように、前記位置により異なる前記拡散スピードを考慮して、測定の最中に変えられる、方法。
【請求項９】
前記第２の磁界強度がゼロである、請求項８に記載の方法。
【請求項１０】
前記比率が、測定中、低下される、請求項８に記載の方法。
【請求項１１】
前記比率が、測定中、連続的に変えられる、請求項８に記載の方法。
【請求項１２】
前記比率が、測定中、約８５％から約１５％まで段階的に変化する、請求項８に記載の方法。
【請求項１３】
前記磁気バイオセンサ装置は、ＦＴＩＲバイオセンサ装置であり、前記検出される信号は、前記センサ表面付近の磁性粒子の存在により散乱される光に関する、請求項８に記載の方法。
【発明の詳細な説明】
【技術分野】
【０００１】
本発明は、磁気バイオセンサ装置に関し、特に、バイオセンサ装置のセンサ表面に向かう磁性粒子のアクチュエーションに関する。
【背景技術】
【０００２】
バイオセンサの需要は、最近ますます増加している。通常、バイオセンサは、アナライト内の所与の特異的分子の検出を可能にし、前記ターゲット分子の量又は濃度は一般に小さい。例えば、唾液又は血液中の薬剤又は心臓マーカの量が、測定されることができる。乱用薬物は、概して、１つのエピトープのみを備える小分子であり、この理由のため、例えばサンドイッチアッセイによっては検出されることができない。競合又は抑制アッセイが、これらの分子を検出するための好適な方法である。良く知られている競合アッセイ装置は、表面上に関心のあるターゲット分子を結合させ、酵素、蛍光体又は磁気ビーズでありうる標識又は検出タグに抗体をリンクさせることができる。このシステムは、タグ付けされた抗体を使用して、サンプルからのターゲット分子と表面上のターゲット分子との間の競合アッセイを実施するために使用される。ロードサイドテストのために、アッセイは、高速且つロバストでなければならない。
【０００３】
磁気標識バイオセンサにおいて、薬剤又は心臓マーカのような特定の生化学的作用物の存在を測定することは、磁性粒子又は磁気ビーズによる分子の捕獲及び標識化に基づく。アクチュエーションとも呼ばれるビーズの磁気引力が、ポイントオブケアアプリケーションのためのバイオセンサの性能、すなわちスピード、を増大させるために重要である。磁気引力の方向は、実際の測定が行われる表面に向かう方向又はこの表面から離れる方向である。前者の場合、磁気アクチュエーションは、センサ表面付近の磁性粒子の濃度の増大を与え、感受性表面における磁性粒子の結合プロセスの速度を上げる。第２のケースでは、粒子は、表面から除去され、これは、磁気洗浄と呼ばれる。磁気洗浄は、従来のウェット洗浄ステップと置き換わることができる。これは、より正確であり、動作アクションの数を減らす。
【発明の概要】
【発明が解決しようとする課題】
【０００４】
漏れ内部全反射（Frustrated Total Internal Reflection、ＦＴＩＲ）に基づくバイオセンサ装置のような磁気バイオセンサ装置の一般的な構成において、磁気ビーズが、センサカートリッジのセンサチャンバに配置される。センサチャンバ内のセンサ表面の少なくとも一部は、ターゲット分子の検出の準備ができている。テストを実施するために、カートリッジは、センサ表面に磁界を生成する磁気ユニットと、センサ表面付近の磁気ビーズの存在を検出する検出手段と、を有するリーダ内に配置される。カートリッジに挿入される液体中のターゲット分子の反応スピードを増大させるために、カートリッジがリーダ内に置かれると、カートリッジの下に配置された磁気ユニットが、ビーズをセンサ表面の方へ引っ張るために磁界を生成する。
【０００５】
磁気引力のため、バイオセンサ装置のセンサ表面付近の磁気ビーズの数が増大し、センサ信号が、時間とともに増加する。粒子を表面に引き寄せるために、いわゆるパルス化された磁気引力スケジュールが、使用されることができる。このようなスキームにおいて、磁界は、例えば国際公開第２００８／１０２２１８Ａ１号明細書に記載されるように、周期的にオン／オフを切り替えられる。磁界がオンのとき、ビーズは、表面近傍の領域に向かって引き寄せられる。磁界がオフに切り替えられると、ビーズは、それらの最初の位置に依存して、表面に向かって又は表面から離れる方へ拡散する。概して、測定中、このようなパルス化された引力スキームの間、引力磁石の中心付近の信号は、磁石の磁極先端の一方の近くの信号よりもっと速く増大することが観察される。
【０００６】
速度は、磁極先端付近の位置によって支配されるので、この効果はアッセイの全体の速度を減速する。実際、この問題は、磁石の中心付近の幾つかの位置又は関心領域のみを使用することによって、回避されることができる。１種類のターゲット分子のみが測定されればよい場合、これは制約でない。しかしながら、マルチアナライトアッセイ又はマルチチャンバ構成の場合、これは制約である。
【０００７】
磁気バイオセンサ装置において光学信号の全体の速度及び／又は均一性を増大させる必要がある。特に、マルチアナライトアッセイ又はマルチチャンバ構成が、なお現在のハードウェア構成を使用しながら、可能になるべきである。
【課題を解決するための手段】
【０００８】
本発明によれば、テストされるべきアッセイを受け取るセンサカートリッジと、センサカートリッジのセンサ表面に磁界を生成する電磁ユニットと、センサ表面の近傍の磁性粒子の存在を検出する検出手段と、を有する磁気バイオセンサ装置が提供される。電磁ユニットは、ビーズをセンサ表面に引き寄せるために印加されるべき少なくとも第１及び第２の磁界強度を有する磁界を生成するように適応される。第１及び第２の磁界強度を印加する全期間の時間量に対する第１の磁界強度を印加する時間量の比率は、測定中、変えられる。第２の磁界強度がゼロであり、第１の磁界強度が、ビーズをセンサ表面に引き寄せる予め決められた磁界強度に等しい場合、この比率は、デューティサイクルと呼ばれる。こうして、デューティサイクルは、測定中、規定されたやり方で変えられる。
【０００９】
本発明の好適な実施態様において、第１及び第２の磁界強度を印加する期間の時間量に対する第１の磁界強度を印加する時間量の比率は、測定中、低下する。測定中の比率の変更は、測定の開始時には少なくとも１つの予め決められた比率及び測定の終了時には他の予め決められた比率を有するように、連続的に又は段階的に実施されることができる。
【００１０】
好適には、測定の開始時の比率は、５０％より大きく、好適には８５％であり、測定の終了時の比率は、５０％より小さく、好適には約１５％である。
【００１１】
本発明の一実施形態において、磁気バイオセンサ装置に含まれる検出手段は、内部全反射の角度でセンサ表面に光を向ける光源と、センサ表面から反射される光を検出する検出器と、を有する。すなわち、磁気バイオセンサ装置は、漏れ内部全反射の測定に基づく。
【００１２】
本発明の別の例は、センサ表面に対して本質的に垂直な第１の磁界強度を生成する第１の電磁ユニットと、センサ表面と本質的に平行な第２の磁界強度を生成する第２の電磁ユニットと、を記述し、第１及び第２の電磁ユニットは、それぞれ、第１の磁界強度及び第２の磁界強度を交互に生成するように適応され、第１の磁界強度及び第２の磁界強度の生成の間には、磁界が生成されない時間期間がある。この構造は、連続的に、第２の電磁ユニットによってセンサ表面と本質的に平行な磁界強度を供給し、第１の電磁ユニットによってセンサ表面に対し本質的に垂直な磁界強度を生成する。第１及び第２の電磁ユニットが対応する磁界を生成するためにオンであるそれぞれの時間の合間の時間中は、両方の電磁ユニットがダウンしていることが有利であることがわかった。従って、時間シーケンスは、３つのステップで記述され、１つの第１ステップは、センサ表面と平行な磁界パルスであり、第２のステップは、表面に対し垂直な磁界パルスであり、第３のステップは、印加される磁界のない他のパルス持続時間より短い持続時間である。記述される３つのステップをもつ方法及び対応する装置によって、流体中に規則的に溶解される磁性粒子のランダム化及び混合の効果が達成される。
【００１３】
更に、本発明は、磁気バイオセンサ装置において磁気ビーズを引き寄せる方法を提供する。
【００１４】
本発明のこれらの及び他の見地は、以下に記述される実施形態から明らかになり、それらを参照して説明される。
【図面の簡単な説明】
【００１５】
【図１】センサ表面への連続する引き寄せの間、磁気ビーズをクラスタリングするプロセスを示す図。
【図２】磁気バイオセンサ装置のセンサ表面に一般に生成される磁界線の方向を概略的に示す図。
【図３】異なるアクチュエーションプロトコルを使用して、磁気バイオセンサ装置の磁気ユニットの中心部で記録される光学信号を示す図。
【図４】異なるアクチュエーションプロトコルを使用して、磁気バイオセンサ装置の磁気ユニットの中心部及び磁極先端で記録される信号の比率を示す図。
【図５】センサ表面に対してさまざまな異なる力方向をもつ磁気アクチュエーションを可能にするために、センサ表面、センサ表面の上方の１つの電磁ユニット、センサ表面の下方の１つの電磁ユニット、及びセンサ表面の側方の２つの電磁ユニットを有する本発明の一例を示す概略図。
【図６】バイオセンサによる光学検出の例によって取得された曲線及び曲線の降下として示される非特異的結合の最小化を示す図。
【発明を実施するための形態】
【００１６】
磁気バイオセンサ装置において、両方の方法が同じエネルギー量を消費する状態の下で、パルス化されたアクチュエーションプロトコルが、連続的な磁気アクチュエーションプロトコルより良好に作用する理由が、以下のように説明されることができる。
【００１７】
第１の考えにおいて、連続的な磁気引力は、より大きい時間量の間、磁気ビーズが表面に向かって引き寄せられるので、パルス化されたアクチュエーションより良いことが期待される。これは、部分的にのみ当てはまる。事実、連続的な引き寄せによって、同一の時間量のうちに、以下でビーズ又は粒子とも呼ばれる磁性粒子１０のより多くが、センサ表面２付近に収集される。しかしながら、試験から、表面付近で収集される粒子１０のほんの一部のみが、実際に、表面に到達し結合することが可能であることが分かった。図１に示されるように、これは、磁気ビーズ−ビーズ相互作用によって引き起こされる。
【００１８】
図１に、磁気バイオセンサ用のセンサカートリッジ１のセンサチャンバのより低い壁１が、概略的に示されている。磁気バイオセンサという語は、ここでは、当分野において良く知られているように、磁性粒子１０が検出されるべきアナライトの生物学的アッセイへの結合のプロセスに参加する生物学的アッセイを含むセンサとして規定される。壁１は、センサチャンバのセンサ表面２を形成する。センサ表面２の下には、電磁ユニットは配置され、電磁ユニットは、センサ表面の縁端部の近傍に配置される２つの磁極先端によって一般に形成される（図２に示される磁極先端３を参照）。矢印１１によって示されるように磁力を印加する場合、ビーズ１０は、センサ表面２に向かって引き寄せられる。表面２が、例えば中心部では約１０％であり、センサ表面２の縁端部の近傍の磁極先端３の近傍ではより低くなるような、或る量のビーズ１０で覆われるとすぐに、表面２に接近するビーズ１０は、磁気アクチュエーション力のため、表面２上に既に存在しているビーズ１０によって引き寄せられる。このプロセスは、「クラスタリング」として知られている。磁界は、表面と或る角度をなすので、クラスタリングされたビーズ１０は、センサ表面２の検出領域２１の外側にあり、すなわちＦＴＩＲバイオセンサの場合のエバネッセント場にある。
【００１９】
従って、これらのビーズ１０は、磁界によって引き寄せられるが、それらは、表面２と接触せず、ゆえに、表面２に結合することができない。磁界が、オフに切り替えられる場合のみ、クラスタリングされたビーズ１０は、解放され、拡散によって表面２と接触することができる。磁界が、連続してオンにされている場合、クラスタリングされたビーズ１０は、表面と決して接触せず、信号は低いままであり、一般に、利用可能な１００％の信号のうちわずか３−１０％を示す。従って、パルス化されたアクチュエーションプロトコルの場合、引力時間ｔＯＮ及び磁界がオフにされる時間ｔＯＦＦの両方が重要である。
【００２０】
引力時間の間、ビーズは、表面付近の領域へ運ばれ、そこでビーズの濃度は増大する。磁界がオフである間、ビーズは、拡散及び結合を通じて実際に表面に到達することができる。比率ｔＯＮ／（ｔＯＮ＋ｔＯＦＦ）は、アクチュエーションプロトコルのデューティサイクル（ＤＣ）と呼ばれる。大きい信号を迅速に得るために、ＯＮフェーズの間に表面付近の領域に運ばれるビーズの数は、ＯＦＦフェーズの間に拡散によって表面に運ばれるビーズの数と一致するべきである。これは、以下のような式で示されることができる：
ＲＯＮ．ｔＯＮ＝ＲＯＦＦ．ｔＯＦＦ      （１）
ここで、ＲＯＮ及びＲＯＦＦは、それぞれ、ビーズ／秒で表現されるＯＮ／ＯＦＦフェーズの間の運搬レートあり、すなわち磁気引力及び拡散の間の運搬レートである。従って、パルス信号の最適なデューティサイクルは、以下の運搬レートで表現されることができる：
0005654487.tif 000002
【００２１】
この式は、パルス化されたアクチュエーション信号のデューティサイクルが重要であり、システムの運搬レートが与えられる場合、最適化されなければならないことを示す。
【００２２】
図２に示されるように、引力磁石の磁界は、或る角度をなして表面２を横切る。この角度は、理想的な磁石の磁極先端３の間では正確にゼロであり、磁極先端３付近では数十度、例えば３０度になりうる。従って、中心部では、磁界の方向は、表面２と平行であるが、磁極先端３の近くでは、より上方又は下方を向いている。磁界の方向は、ビーズ１０のクラスタが形成される方向を決定する。クラスタが、磁気アクチュエーションの下で形成され、続いて磁界がオフにされると、ビーズは、表面２に向かって拡散しなければならない。クラスタの角度が大きいほど、ビーズ１０が拡散するためにより多くの時間を要する。従って、磁極先端３付近での拡散による運搬レートは、磁石の中心部よりも小さい。式２から、運搬レートＲＯＦＦが小さくなると、パルス化されたアクチュエーションのためのより小さいデューティサイクルが選択されなければならず、これは、より多くの時間が拡散ステップのために必要とされることを表すことが分かる。
【００２３】
図３には、中心位置、すなわち磁気ユニットの磁極先端の間の中心部、において記録された光学信号が、３つの異なるアクチュエーションプロトコルに関して示されている。拡散スピードは、磁極先端の間のセンサ表面の中心部では高いので（ビーズは、表面までの短い距離を移動するだけでよい）、デューティサイクルを増大させ、表面付近の領域へのビーズの収集スピードを高めることは、信号レートを増大させる。
【００２４】
第１のプロトコル（破線曲線）によれば、印加されるパルス化磁界のデューティサイクルは、測定全体の間の５０％であり、第２のプロトコル（点線曲線）によれば、デューティサイクルは、測定全体の間の７５％であり、第３のプロトコル（連続曲線）においては、デューティサイクルの組み合わせが適用され、すなわちデューティサイクルは、測定の開始時には８５％であり、測定の終了時には１５％である。この例では、５０％のデューティサイクルが７５％のデューティサイクルより遅い信号を与えることが明確に認識できる。
【００２５】
図４には、磁極先端付近の信号と表面の中心部の信号との間の比率が、プロットされている。１の比率は、磁極先端付近の信号の強度が、中心部における信号の強度と等しいことを示す。これは好適な状況であり、できるだけ近付いて及びできるだけ速くこの１の比率を確立することが、アクチュエーションプロトコルのゴールである。より低い比率は、磁極先端付近の信号が、中心部での信号より遅れることを示す。拡散のためのより多くの時間がアクチュエーションプロトコルにおいて与えられる場合、すなわちより低いデューティサイクルが適用される場合、比率が改善することは明らかである。５０％のデューティサイクルは、７５％のデューティサイクルより良好な比率を与える。しかしながら、中心位置に関しては、これとは反対のことが当てはまる：７５％のデューティ−サイクルは、５０％のデューティサイクルより速い信号を与える。
【００２６】
例えば、第１のステップでは、表面付近のビーズを迅速に収集するために８５％のデューティサイクルを適用し、第２のステップでは、磁極先端付近の信号スピードを改善するために、より大きい拡散時間を適用するというような、連続曲線によって示されるデューティサイクルの組み合わせは、中心部での信号を損なうことなく磁極先端と中心部との間の比率を改善する。
【００２７】
従って、異なるデューティサイクルをもつ２又はそれ以上のステップを含むアクチュエーションプロトコルが、光学バイオセンサシステムの全体の性能を改善することができる。それは、磁極間の表面上の使用できるエリアを拡大し、異なる測定スポット間の信号の均一性を改善し、及び／又はマルチアナライトアッセイ及び／又はマルチチャンバ構造を可能にする。
【００２８】
磁石のハードウェア構成から生じうる表面上の磁界方向の差のため、ビーズが表面と接触するようにされることができる運搬レートは、表面上の位置に依存する。例えば異なるデューティサイクルをもつ連続するステップを含む、測定中の変化するデューティサイクルをもつアクチュエーションプロトコルは、記録された信号の全体のスピード及び均一性を改善することができる。
【００２９】
以下、本発明の他の例が、図５に関して記述される。図５は、磁気ビーズとも呼ばれる磁性粒子１０を使用するバイオセンサ装置のカートリッジ１の一部として、上述のセンサ表面１の概略図を示す。図示される構造において、幾つかの電磁ユニット３ａ、３ｂ、３ｃ、３ｃ'が、センサ表面２に適用される流体をランダム化し混合するために有用な磁界パターンを生成するために実現されている。この例において、例えば制御されたコイルである１つの電磁ユニット３ａが、センサ表面２の上方に配置され、１つの電磁ユニット３ｂが、センサ表面２の下方に配置され、２つの電磁ユニット３ｃ、３ｃ'が、センサ表面２の側方に配置される。電磁ユニット３ｃは、センサ表面２の左方に配置され、電磁ユニット３ｃ'は、センサ表面２の右方に配置される。図５に示される構造は、センサ表面２に対して異なる力方向を有する磁気アクチュエーションを可能にする。電磁場理論によって、電磁ユニット３ａ、３ｂは、生成される磁界の方向に依存して、センサ表面２の上方のエリアにおいて磁性粒子１０を引き寄せ又は押し返す。これに関連して、磁界線が、そこに適用されるアッセイに対する結合を達成するために、図示されるように像平面の上方から下方に、すなわちセンサ表面２の方向に向けられる場合に、引力が生じる。同様に、磁界線が、図示されるように像平面の下方から上方に向けられる場合、斥力が生じる。言い換えると、センサ表面２に対し本質的に垂直な磁界が、生成される。後者の場合、磁力は、センサ表面２から磁性粒子１０を除去するために、センサ表面２から離れるように磁性粒子１０に及ぼされる。例えばカートリッジ１上のセンサ表面２の下方の２つの電磁ユニット３ｂ及び上方の１つの電磁ユニット３ａを備える他の構造が、設計可能である。更に、別の電磁ユニット３ｃが、センサ表面２を有するカートリッジ１の左側に配置され、別の電磁ユニット３ｃ'が、センサ表面２を有するカートリッジ１の右側に配置される。電磁ユニット３ｃ，３ｃ'は、センサを有するカートリッジ１及びセンサ表面２と本質的に平行に向けられる磁界線を有する磁界を、像平面に対して左又は右の任意の方向に生成する。センサ表面２の側方の付加の電磁ユニット３ｃ、３ｃ'は、センサ表面２におけるアッセイへのアナライトの結合挙動を改善する。センサ表面２と垂直な磁界だけでなく、平行な方向を向く磁界を印加する場合、磁性粒子１０のランダム化及び混合が達成される。かかる磁性粒子は、一般に、バイオセンサによって検出されるべきアナライトにアタッチされる。４つの電磁ユニット３ａ，３ｂ，３ｃ，３ｃ'を制御することは、アナライトをアッセイに結合するプロセスを改善し、特に特異的結合の数が増大されることができることが分かった。これは、センサ表面２に対し垂直な磁界だけを用いるプロセスと比較して、流体中のより多くのアナライトがアッセイに結合されるので、流体中のアナライトの有効量の検出が改善されることを意味する。特異的結合のプロセスの更なる改善は、最初にセンサ表面２と平行な磁界パルスを印加し、次にセンサ表面２に対し垂直な磁界パルスを印加し、次に短い時間期間中、磁界を印加しないように、電磁ユニット３ａ、３ｂ、３ｃ、３ｃ'を制御するこ���によって達成される。印加される磁界の時間期間及び磁界のない時間期間は、数秒のレンジにある。上述の構造は、磁性粒子１０及びアタッチされたアナライトを、流体又はバルクからセンサ表面２まで効率的に運搬するように設計されている。
【００３０】
図６は、図５に関して記述される構造によって、例えば漏れ内部全反射（ＦＴＩＲ）のような、例えば光学検出方法によって行われる、バイオセンサの測定の結果としての曲線を示す。ｘ軸は、分の時間として示され、ｙ軸は、バイオセンサによって検出される光学信号のパーセンテージにとして示されている。図６に見られるように、信号は、最初、ほぼ一定の高いレベルを有し、ランダム化及び混合が、電磁ユニット３ａ、３ｂ、３ｃ、３ｃ'を作動させることによって、上述されたように適用される。光学信号は、低下し、元の信号レベルより低いほぼ一定のレベルに再び達する。このより低い一定の信号レベルは、流体中の非特異的結合の減少として説明され、非特異的結合に対する特異的結合は増大される。図示されるように、何秒かの間、磁界はオフであり、それにより、最小からほぼ一定のレベルまで上昇する測定される光学信号をもたらし、これは、ある種の拡散緩和である。図５に関して記述されたプロセスを動作させることにより、作動される磁界は、信号の最小値が達成されるまで、別の信号降下をもたらす。再び、磁界が生成されない時間期間は、ほぼ一定のレベルまで信号を高め、そのレベルは、再び、以前測定された信号レベルよりも低い。再び、非特異的結合によって引き起こされる信号部分が、減少される。プロセスを繰り返し適用することは、非特異的結合によって引き起こされる信号部分を最小にし、特異的結合によって引き起こされる正しい信号を増強することを意味する。
【００３１】
本発明は、図面及び上述の説明において詳しく図示され記述されたが、このような図示及び記述は、説明的又は例示的なものとして及び非限定的なものとして考えられるべきである。従って、本発明は、開示された実施形態に制限されない。開示される実施形態に対する変更は、図面、開示及び添付の請求項の検討から、本発明を実施する当業者によって理解され、実現されることができる。請求項において、「含む、有する」という語は、他の構成要素又はステップを除外せず、不定冠詞「a」又は「an」は、複数性を除外しない。単一のプロセッサ又は他のユニットは、請求項に列挙されるいくつかのアイテムの機能を果たすことができる。特定の手段が相互に異なる従属請求項に列挙されているという単なる事実は、これらの手段の組み合わせが有利に使用されることができないことを示さない。請求項における任意の参照符号は、請求項の範囲を制限することとして考えられるべきでない。
【図１】
0005654487.tif 000003
【図２】
0005654487.tif 000004
【図３】
0005654487.tif 000005
【図４】
0005654487.tif 000006
【図５】
0005654487.tif 000007
【図６】
0005654487.tif 000008